(57)【特許請求の範囲】
【請求項１】
複数ページを含む原稿データにおいてタブ紙に印刷されるページを特定する特定手段と、  
印字領域をタブの領域まで広げるか否かを選択するための選択画面を表示する表示制御手段と、
前記選択画面を介した操作に応じて、印字領域をタブの領域まで広げるか否かを設定する設定手段と、
前記設定手段により印字領域をタブの領域まで広げることが設定された場合、前記特定手段により特定されたページの印字領域をタブ紙用の印字領域に拡大する拡大手段と、
前記設定手段により印字領域をタブの領域まで広げることが設定された場合は、前記拡大手段により拡大された印字領域を用いて前記タブ紙に印刷されるページの印刷データを生成し、前記設定手段により印字領域をタブの領域まで広げることが設定されない場合は、前記特定手段により特定されたページの印字領域を用いて前記タブ紙に印刷されるページの印刷データを生成する生成手段と、
を有する情報処理装置。
【請求項２】
前記生成手段は、
前記原稿データの属性情報にウォーターマークの設定がされていて、かつ、前記設定手段により印字領域をタブの領域まで広げることが設定された場合は、前記拡大手段により拡大された印字領域にウォーターマークの画像を面付けして前記タブ紙に印刷されるページの印刷データを生成し、
前記原稿データの属性情報にウォーターマークの設定がされていて、かつ、前記設定手段により印字領域をタブの領域まで広げることが設定されない場合は、前記特定手段により特定された印字領域にウォーターマークの画像を面付けして前記タブ紙に印刷されるページの印刷データを生成する請求項１記載の情報処理装置。
【請求項３】
前記選択画面は、さらに、タブ紙に原稿を印刷するかを選択するためのオブジェクトを含み、
前記設定手段は、前記選択画面を介した操作に応じて、さらに、タブ紙に原稿を印刷することを設定する請求項１又は２記載の情報処理装置。
【請求項４】
前記選択画面は、さらに、前記タブの領域に章の名前を印刷するかを選択するためのオブジェクトを含み、
前記設定手段は、前記選択画面を介した操作に応じて、さらに、前記タブの領域に章の名前を印刷することを設定する請求項１乃至３何れか１項記載の情報処理装置。
【請求項５】
情報処理装置が実行する情報処理方法であって、
複数ページを含む原稿データにおいてタブ紙に印刷されるページを特定する特定ステップと、  
印字領域をタブの領域まで広げるか否かを選択するための選択画面を表示する表示制御ステップと、
前記選択画面を介した操作に応じて、印字領域をタブの領域まで広げるか否かを設定する設定ステップと、
前記設定ステップにより印字領域をタブの領域まで広げることが設定された場合、前記特定ステップにより特定されたページの印字領域をタブ紙用の印字領域に拡大する拡大ステップと、
前記設定ステップにより印字領域をタブの領域まで広げることが設定された場合は、前記拡大ステップにより拡大された印字領域を用いて前記タブ紙に印刷されるページの印刷データを生成し、前記設定ステップにより印字領域をタブの領域まで広げることが設定されない場合は、前記特定ステップにより特定されたページの印字領域を用いて前記タブ紙に印刷されるページの印刷データを生成する生成ステップと、
を有する情報処理方法。
【請求項６】
前記生成ステップでは、
前記原稿データの属性情報にウォーターマークの設定がされていて、かつ、前記設定ステップにより印字領域をタブの領域まで広げることが設定された場合は、前記拡大ステップにより拡大された印字領域にウォーターマークの画像を面付けして前記タブ紙に印刷されるページの印刷データを生成し、
前記原稿データの属性情報にウォーターマークの設定がされていて、かつ、前記設定ステップにより印字領域をタブの領域まで広げることが設定されない場合は、前記特定ステップにより特定された印字領域にウォーターマークの画像を面付けして前記タブ紙に印刷されるページの印刷データを生成する請求項５記載の情報処理方法。
【請求項７】
前記選択画面は、さらに、タブ紙に原稿を印刷するかを選択するためのオブジェクトを含み、
前記設定ステップでは、前記選択画面を介した操作に応じて、さらに、タブ紙に原稿を印刷することを設定する請求項５又は６記載の情報処理方法。
【請求項８】
前記選択画面は、さらに、前記タブの領域に章の名前を印刷するかを選択するためのオブジェクトを含み、
前記設定ステップでは、前記選択画面を介した操作に応じて、さらに、前記タブの領域に章の名前を印刷することを設定する請求項５乃至７何れか１項記載の情報処理方法。
【請求項９】
コンピュータに、請求項５乃至８何れか１項記載の情報処理方法の各ステップを実行させるためのプログラム。
【発明の詳細な説明】
【技術分野】
【０００１】
本発明は、情報処理装置、情報処理方法及びプログラムに関する。
【背景技術】
【０００２】
文字や表、画像等、原稿データの種類が異なると、原稿データを定義する構造やそれら原稿データに対する編集操作が異なるために、原稿データの種類に応じた様々なアプリケーションプログラムが提供されている。利用者は、文字を編集するためには文字処理プログラム、表を編集するためには表計算プログラム、画像を編集するためには画像編集プログラムといった具合に、原稿データの種類別にアプリケーションを使い分けている。
このように、利用者は原稿データの種類ごとにアプリケーションプログラムを使い分けるのが一般的である。しかし、利用者が作成しようとする文書としては、例えば文字のみや、表のみ、画像のみといった１種類の原稿データのみから構成される文書よりも、文字と表、文字と画像等、複数種類の原稿データから構成される文書の方が一般的である。そこで複数種類の原稿データを一つの目的文書にまとめて作成するための統合アプリケーションとしての文書処理システムが提供されている。
【０００３】
このような統合アプリケーションとしての文書処理システムでは、利用者がアプリケーションで作成した複数の原稿データを読み込み、プリンタで出力するための印刷設定（用紙サイズやフィニッシングの設定等）を行う手段を用意している。また、利用者からの印刷命令に応じて、原稿データの各ページの画像を印刷設定に応じて適切な領域内に配置（面付け）し（領域外の不要な画像を削除（クリップ）し）、印刷設定コマンドと共にプリンタへ送信する。これにより、利用者が求める出力結果を得ることができる。
文書処理システムでは、印刷設定の一つとして、文書の区切りであるインデックス紙（タブ紙）の設定を行うことで、プリンタが出力する用紙の意図した位置にインデックス紙を挿入することを可能としている。
従来の文書処理システムでは、インデックス紙のインデックス（耳）部分の文字列を含む原稿データに対して、画像の印字位置をシフトすることで、インデックス（耳）部分への文字列の印字を実現する技術が知られている（参考文献１参照。）。
【先行技術文献】
【特許文献】
【０００４】
【特許文献１】特開２００３−５４８２５号公報
【発明の概要】
【発明が解決しようとする課題】
【０００５】
しかしながら、上述した従来の技術では、原稿データにインデックス紙の本文部分とインデックス（耳）部分との両方の画像を有するような、インデックス紙のサイズのページ画像が含まれている場合に、所望する出力結果を得ることができなかった。
即ち、原稿データとして図１６の１６０１に示すようなページ画像（画像サイズ：インデックス紙のサイズ、本文部分の画像：「Ａ」、インデックス（耳）部分の画像：「ＡＢＣＤＥＦＧ」）が含まれているとする。この場合、原稿データにおける他のページと同等の印字領域１６０２に画像を配置すると、印字領域外に存在するインデックス（耳）部分の画像が削除（クリップ）される。そのため、プリンタが出力するインデックス紙にはインデックス（耳）部分の画像が欠けて印字されてしまう（１６０３）。また、インデックス（耳）部分の画像が印字領域１６０２に含まれるようにページ画像をシフトして配置すると、本文部分の印字領域外にシフトされた画像が削除（クリップ）される。そのため、プリンタが出力するインデックス紙には本文部分の画像が欠けて印字されてしまう（１６０４）。
また、利用者がアプリケーションで作成する原稿データの形式は様々である。即ち、上述するように、インデックス紙に印刷するページにインデックス（耳）部分の画像を含み、画像サイズがインデックス紙と同等サイズである場合や、インデックス（耳）部分の画像を含まない場合である。また、画像サイズがインデックス紙へ印刷しない他の原稿ページと同等サイズである場合等である。文書処理システムにおいては、このような様々な形式の原稿データに対しても利用者が望むとおりのインデックス紙への印字結果を得るための処理が必要となる。
【０００６】
本発明はこのような問題点に鑑みなされたもので、様々な形式の原稿データに対しても利用者が望むとおりのインデックス紙への印字結果を得ることを目的とする。
【課題を解決するための手段】
【０００７】
そこで、本発明の情報処理装置は、複数ページを含む原稿データにおいてタブ紙に印刷されるページを特定する特定手段と、 印字領域をタブの領域まで広げるか否かを選択するための選択画面を表示する表示制御手段と、前記選択画面を介して、印字領域をタブの領域まで広げることを設定する設定手段と、前記設定手段で、前記選択画面を介して、印字領域をタブの領域まで広げることが設定された場合、前記特定手段により特定されたページの印字領域をタブ紙用の印字領域に拡大する拡大手段と、前記選択画面を介して、印字領域をタブの領域まで広げることが設定された場合は、前記拡大手段により拡大された印字領域を用いて前記タブ紙に印刷されるページの印刷データを生成し、前記選択画面を介して、印字領域をタブの領域まで広げることが設定されない場合は、前記特定手段により特定されたページの印字領域を用いて前記タブ紙に印刷されるページの印刷データを生成する生成手段と、を有する。
【発明の効果】
【０００８】
本発明によれば、様々な形式の原稿データに対しても利用者が望むとおりのインデックス紙への印字結果を得ることができる。
【図面の簡単な説明】
【０００９】
【図１】文書処理システムのソフトウェア構成等の一例を示す図である。
【図２】文書処理システムのハードウェア構成の一例を示す図である。
【図３】ブックファイルの形式の一例を模式的に示す図である。
【図４】ブック属性のリストの一例を示す図である。
【図５】章属性のリストの一例を示す図である。
【図６】ページ属性のリストの一例を示す図である。
【図７】製本アプリケーションによりブックファイルを開く際の手順を示すフローチャートである。
【図８】新規にブックファイルが作成された際のＵＩ画面の一例を示す図である。
【図９】既存のブックファイルを開いた際のユーザインターフェース画面の一例を示す図である。
【図１０】電子原稿インポートの手順例を示すフローチャートである。
【図１１】図１０のステップＳ８０１において、電子原稿ライタにより電子原稿ファイルを生成させる手順を示すフローチャートである。
【図１２】製本アプリケーションの「インデックス紙の設定」ウインドウの一例を示す図である。
【図１３】文書処理システムにおいて電子原稿デスプーラが原稿データを面付けする処理の手順例を示すフローチャートである。
【図１４】電子原稿デスプーラが図１３のフローチャートに従ってインデックス紙へ原稿データを面付け処理し、プリンタにおいて印刷処理が実行された結果の一例を示す図である。
【図１５】実施形態２の文書処理システムにおいて電子原稿デスプーラが原稿データを面付けする処理の手順例を示すフローチャートである。
【図１６】従来技術におけるインデックス紙への面付け処理及び印刷処理の結果の一例を示す図である。
【発明を実施するための形態】
【００１０】
以下、本発明の実施形態について図面に基づいて説明する。
【００１１】
[実施形態１]
実施形態１の文書処理システムについて、図１〜図１４を参照して説明する。
＜文書処理システムのソフトウェア構成例＞
図１は、文書処理システムのソフトウェア構成等の一例を示す図である。文書処理システムは、文書処理装置（情報処理装置）の好適な実施形態であるデジタルコンピュータ１００（以下、ホストコンピュータとも呼ばれる）によって実現されている。一般アプリケーション１０１は、ワードプロセッシングやスプレッドシート、フォトレタッチ、ドロー或いはペイント、プレゼンテーション、テキスト編集等の機能を提供するアプリケーションプログラムである。一般アプリケーション１０１は、オペレーティングシステム（ＯＳ）に対する印刷機能を有している。これらのアプリケーションは、作成された文書データや画像データ等のアプリケーションデータ（原稿データ）を印刷するにあたって、ＯＳにより提供される所定のインターフェース（一般にＧＤＩと呼ばれる）を利用する。即ち、一般アプリケーション１０１は、作成した印刷データを印刷するために、前記インタフェースを提供するＯＳの出力モジュールに対して、予め定められている、ＯＳに依存する形式の出力コマンド（ＧＤＩ関数と呼ばれる）を送信する。出力コマンドを受けた出力モジュールは、プリンタ等の出力デバイスが処理可能な形式にそのコマンドを変換し、変換されたコマンド（ＤＤＩ関数と呼ばれる）を出力する。出力デバイスが処理可能な形式はデバイスの種類やメーカ、機種等によって異なるために、出力デバイスごとにデバイスドライバが提供されている。ＯＳではこのデバイスドライバを利用してコマンドの変換を行い、印刷データを生成し、ＪＬ（Ｊｏｂ  Ｌａｎｇｕａｇｅ）でくくることにより印刷ジョブを生成する。ＯＳとしてマイクロソフト社のウィンドウズ（登録商標）を利用する場合には、前述した出力モジュールとしてはＧＤＩ（Ｇｒａｐｈｉｃ  Ｄｅｖｉｃｅ  Ｉｎｔｅｒｆａｃｅ）と呼ばれるモジュールが相当する。
【００１２】
電子原稿ライタ１０２は、前述のデバイスドライバを改良したものであり、本文書処理システム実現のために提供されるソフトウェアモジュールである。但し、電子原稿ライタ１０２は特定の出力デバイスを目的としておらず、後述の製本アプリケーション１０４やプリンタドライバ１０６により処理可能な形式に出力コマンドを変換する。この電子原稿ライタ１０２による変換後の形式（以後、「電子原稿形式」と呼ぶ）は、ページ単位の原稿を詳細な書式をもって表現可能であれば特に問わない。実質的な標準形式のうちでは、例えばＰＤＦ形式や、ＳＶＳ形式等が電子原稿形式として採用できる。
一般アプリケーション１０１により電子原稿ライタ１０２を利用させる場合には、出力に使用するデバイスドライバとして電子原稿ライタ１０２を指定してから印刷を実行させる。但し、電子原稿ライタ１０２によって作成されたままの電子原稿ファイルは、電子原稿ファイルとしての全ての形式を備えていない。そのため、デバイスドライバとして電子原稿ライタ１０２を指定するのは製本アプリケーション１０４であり、その管理下でアプリケーションデータの電子原稿ファイルへの変換が実行される。製本アプリケーション１０４は、電子原稿ライタ１０２が生成した新規の電子原稿ファイルを後述する形式を備えた電子原稿ファイルとして完成させる。以下では、この点を明瞭に識別する必要がある際には、電子原稿ライタ１０２によって作成されたファイルを電子原稿ファイルと呼び、製本アプリケーションによって構造を与えられた電子原稿ファイルをブックファイルと呼ぶ。また、特に区別する必要がない場合は、アプリケーションにより作成されるドキュメントファイル、電子原稿ファイル、及びブックファイルを何れも文書ファイル（又は文書データ）と呼ぶ。
このようにデバイスドライバとして電子原稿ライタ１０２を指定し、一般アプリケーション１０１によりそのデータを印刷させる。このことで、アプリケーションアプリケーションデータは一般アプリケーション１０１によって定義されたページ（以後、「論理ページ」或いは「原稿ページ」と呼ぶ）を単位とする電子原稿形式に変換される。そして、電子原稿ファイル１０３としてハードディスク等の記憶媒体に格納される。尚、ハードディスクは、本実施形態の文書処理システムを実現するコンピュータが備えられているローカルドライブであっても良いし、ネットワークに接続されている場合にはネットワーク上に提供されるドライブであっても良い。
【００１３】
製本アプリケーション１０４は、電子原稿ファイル或いはブックファイル１０３を読み込み、それを編集するための機能を提供する。また、製本アプリケーション１０４は、各ページの内容（原稿画像）を編集する機能や、ページを最小単位として構成される、後述する章やブックの構造を編集するための機能を提供している。
製本アプリケーション１０４によって編集されたブックファイル１０３を印刷する際には、製本アプリケーション１０４によって電子原稿デスプーラ１０５が起動される。電子原稿デスプーラ１０５は、製本アプリケーション１０４と共にコンピュータ内にインストールされるプログラムモジュールである。電子原稿デスプーラ１０５は、製本アプリケーション１０４で利用するドキュメント（ブックファイル）を印刷する際に、プリンタドライバへ描画データを出力するために使用されるモジュールである。電子原稿デスプーラ１０５は、指定されたブックファイルをハードディスクから読み出し、ブックファイルに記述された形式で各ページを印刷するために、前述したＯＳの出力モジュールに適合する出力コマンドを生成し、不図示の出力モジュールに出力する。その際に、出力デバイスとして使用されるプリンタ１０７のプリンタドライバ１０６がデバイスドライバとして指定される。出力モジュールは、指定されたプリンタ１０７のプリンタドライバ１０６を用いて受信した出力コマンドを、プリンタ１０７で解釈実行可能なデバイスコマンドに変換する。そしてデバイスコマンドはプリンタ１０７に送信され、プリンタ１０７によってコマンドに応じた画像が印刷される。
【００１４】
＜文書処理システムのハードウェア構成例＞
図２は、文書処理システムのハードウェア構成の一例を示す図である。図２において、ホストコンピュータ１００は、ＲＯＭ２０３内のプログラム用ＲＯＭ或いは外部メモリ２１１に記憶された文書処理プログラム等に基づいて図形、イメージ、文字、表（表計算等を含む）等が混在した文書処理を実行するＣＰＵ２０１を備える。ＣＰＵ２０１は、システムバス２０４に接続される各デバイスをＣＰＵ２０１が総括的に制御する。ＲＯＭ２０３内のプログラム用ＲＯＭ或いは外部メモリ２１１には、ＣＰＵ２０１の制御プログラムであるオペレーティングシステムプログラム等を記憶する。ＲＯＭ２０３内のフォント用ＲＯＭ或いは外部メモリ２１１には上記文書処理の際に使用するフォントデータ等を記憶し、ＲＯＭ２０３内のデータ用ＲＯＭ或いは外部メモリ２１１には上記文書処理等を行う際に使用する各種データを記憶する。ＲＡＭ２０２は、ＣＰＵ２０１の主メモリ、ワークエリア等として機能する。
キーボードコントローラ（ＫＢＣ）２０５は、キーボード（ＫＢ）２０９や不図示のポインティングデバイスからのキー入力を制御する。ＣＲＴコントローラ（ＣＲＴＣ）２０６は、ＣＲＴディスプレイ（ＣＲＴ）２１０の表示を制御する。ディスクコントローラ（ＤＫＣ）２０７は、ブートプログラム、各種のアプリケーション、フォントデータ、ユーザファイル、編集ファイル、プリンタ制御コマンド生成プログラム（以下プリンタドライバ）等を記憶するハードディスク（ＨＤ）、フレキシブルディスク（ＦＤ）等の外部メモリ２１１とのアクセスを制御する。プリンタコントローラ（ＰＲＴＣ）２０８は、双方向性インタフェース（インタフェース）２１を介してプリンタ１０７に接続されて、プリンタ１０７との通信制御処理を実行する。ＮＣ２１２は、ネットワークに接続されて、ネットワークに接続された他の機器との通信制御処理を実行する。
【００１５】
尚、ＣＰＵ２０１は、例えばＲＡＭ２０２上に設定された表示情報ＲＡＭへのアウトラインフォントの展開（ラスタライズ）処理を実行し、ＣＲＴ２１０上でのＷＹＳＩＷＹＧを可能としている。また、ＣＰＵ２０１は、ＣＲＴ２１０上の不図示のマウスカーソル等で指示されたコマンドに基づいて登録された種々のウインドウを開き、種々のデータ処理を実行する。ユーザは、印刷を実行する際、印刷の設定に関するウインドウを開き、プリンタの設定や、印刷モードの選択を含むプリンタドライバに対する印刷処理方法の設定を行える。
ＣＰＵ２０１がＲＯＭ又は外部メモリに記憶されているプログラムに基づき処理を実行することによって、図１に示されるようなホストコンピュータ１００のソフトウェア構成及び後述するフローチャートの各ステップの処理が実現される。
【００１６】
プリンタ１０７は、ＣＰＵ３１２により制御される。プリンタのＣＰＵ３１２は、ＲＯＭ３１３内のプログラム用ＲＯＭに記憶された制御プログラム等或いは外部メモリ３１４に記憶された制御プログラム等に基づいてシステムバス３１５に接続される印刷部Ｉ／Ｆ３１６を介して印刷部（プリンタエンジン）３１７に出力情報としての画像信号を出力する。また、このＲＯＭ３１３内のプログラムＲＯＭには、ＣＰＵ３１２の制御プログラム等を記憶する。ＲＯＭ３１３内のフォント用ＲＯＭには上記出力情報を生成する際に使用するフォントデータ等が記憶される。ＲＯＭ３１３内のデータ用ＲＯＭには、ハードディスク等の外部メモリ３１４がないプリンタの場合には、ホストコンピュータ１００上で利用される情報等が記憶されている。
ＣＰＵ３１２は、入力部３１８を介してホストコンピュータ１００との通信処理が可能となっており、プリンタ内の情報等をホストコンピュータ１００に通知できる。ＲＡＭ３１９は、ＣＰＵ３１２の主メモリや、ワークエリア等として機能するＲＡＭで、図示しない増設ポートに接続されるオプションＲＡＭによりメモリ容量を拡張することができるように構成されている。尚、ＲＡＭ３１９は、出力情報展開領域、環境データ格納領域、ＮＶＲＡＭ等に用いられる。前述したハードディスク（ＨＤ）、ＩＣカード等の外部メモリ３１４は、メモリコントローラ（ＭＣ）３２０によりアクセスを制御される。外部メモリ３１４は、オプションとして接続され、フォントデータ、エミュレーションプログラム、フォームデータ等を記憶する。また、操作部３２１には前述した操作パネルで、操作のためのスイッチ及びＬＥＤ表示器等が配されている。
また、前述した外部メモリ３１４は１個に限らず、複数個備えられ、内蔵フォントに加えてオプションカード、言語系の異なるプリンタ制御言語を解釈するプログラムを格納した外部メモリを複数接続できるように構成されていても良い。更に、図示しないＮＶＲＡＭを有し、操作部３２１からのプリンタモード設定情報を記憶するようにしても良い。
【００１７】
＜電子原稿データの形式例＞
製本アプリケーション１０４の詳細を言及する前に、ブックファイルのデータ形式を説明する。ブックファイルは紙媒体の書物を模した３層の層構造を有する。上位層は「ブック」と呼ばれ、１冊の本を模しており、その本全般に係る属性が定義されている。その下の中間層は、本でいう章に相当し、やはり「章」と呼ばれる。各章についても、章ごとの属性が定義できる。下位層は「ページ」であり、アプリケーションプログラムで定義された各ページに相当する。各ページについてもページごとの属性が定義できる。一つのブックは複数の章を含んでいてよく、また、一つの章は複数のページを含むことができる。
図３は、ブックファイルの形式の一例を模式的に示す図である。この例のブックファイルにおける、ブック、章、ページは、それぞれに相当するノードにより示されている。一つのブックファイルは一つのブックを含む。ブック、章は、ブックとしての構造を定義するための概念であるから、定義された属性値と下位層へのリンクとをその実体として含む。ページは、アプリケーションプログラムによって出力されたページごとの原稿データを実体として有する。そのため、ページは、その属性値のほか、原稿ページの実体（原稿ページデータ）と各原稿ページデータへのリンクとを含む。尚、紙媒体等に出力する際の印刷ページは複数の原稿ページを含む場合がある。この構造に関してはリンクによって表示されず、ブック、章、ページ各階層における属性として表示される。
図３では、ブックファイルが１つの完結したブックである必要はないので、「ブック」を「文書」として一般化して記載している。
【００１８】
まず最上位に文書情報４０１を持つ。文書情報４０１は、４０２〜４０４の３つのパートに大別できる。文書制御情報４０２は、文書ファイルのファイルシステムにおけるパス名等の情報を保持する。文書設定情報４０３は、ページレイアウト等のレイアウト情報とステイプル等プリンタの機能設定情報とを保持し、ブックの属性に相当する。章情報リスト４０４は、文書を構成している章の集合をリスト形式で保持する。リストが保持するのは章情報４０５である。
章情報４０５も４０６〜４０８の３つのパートに大別できる。章制御情報４０６は、章の名称等の情報を保持する。章設定情報４０７は、その章特有のページレイアウトやステイプルの情報を保持し、章の属性に相当する。章ごとに設定情報を持つことで最初の章は２ＵＰのレイアウトその他の章は４ＵＰのレイアウトのように複雑なレイアウトを持った文書を作成することが可能である。ページ情報リスト４０８は、各章を構成する原稿ページの集合リスト形式で保持している。ページ情報リスト４０８が指示するのは、ページ情報４０９である。
ページ情報４０９も４１０〜４１２の３つのパートに大別される。ページ制御情報４１０は、ツリー上に表示するページ番号等の情報を保持する。ページ設定情報４１１は、ページ回転角やページの配置位置情報等の情報を保持し、原稿ページの属性に相当する。ページデータリンク４１２は、ページに対応する原稿データである。この例では、ページ情報４０９が直接原稿データを持つのではなく、リンク情報だけを持ち、実際の原稿データは、ページデータリスト４１３で保持する構成としている。
【００１９】
図４は、ブック属性（文書設定情報４０３）のリストの一例を示す図である。通常、下位層と重複して定義可能な項目に関しては、下位層の属性値（属性情報の値）が優先採用される。そのため、ブック属性にのみ含まれる項目に関しては、ブック属性に定義された値はブック全体を通して有効な値となる。下位層と重複する項目については、下位層において定義されていない場合における既定値としての意味を有する。しかし、下位層の属性値を優先するか否かを不図示のユーザインターフェースから選択できるようにしても良い。尚、図示された各項目は具体的に１項目に対応するのではなく、関連する複数の項目を含むものもある。
ブック属性に固有の項目は、印刷方法、製本詳細、表紙／裏表紙、合紙、章区切りの５項目である。これらは、ブックを通して定義される項目である。印刷方法属性としては、片面印刷、両面印刷、製本印刷の３つの値を指定できる。製本印刷とは、別途指定する枚数の用紙を束にして２つ折りにし、その束をつづり合わせることで製本が可能となる形式で印刷する方法である。製本詳細属性としては、製本印刷が指定されている場合に、見開き方向や、束になる枚数等が指定できる。
表紙／裏表紙属性は、ブックとしてまとめられる電子原稿ファイルを印刷する際に、表紙及び裏表紙となる用紙を付加することの指定、及び付加した用紙への印刷内容の指定を含む。
【００２０】
インデックス紙属性は、章の区切りとして、印刷装置に別途用意される耳付きのインデックス紙の挿入の指定を含む。また、一般アプリケーション１０１から入稿される原稿ページデータの画像をインデックス紙に印刷するか否かの指定を含む。更に、原稿ページデータの画像におけるインデックス紙の印字領域の指定を含む。印字領域とは、原稿ページデータの画像を配置（面付け）する領域であり、該領域は用紙サイズ等の属性から決定される。本実施形態の文書処理システムにおいては、原稿ページデータの画像を印字領域の中心に配置（面付け）する。その他、インデックス（耳）部分への印刷文字列の指定（ＯＮ/ＯＦＦ、印字文字列）や、インデックス紙のサイズ、種類、形態等の指定を含む。この属性は、印刷用紙とは別に用意された用紙を所望の位置に挿入するインサート機能を持ったインサータが使用する印刷装置に備えられている場合か、或いは、複数の給紙カセットを使用可能である場合に有効となる。これは合紙属性についても同様である。
合紙属性は、章の区切りとして、インサータから或いは給紙カセットから供給される用紙の挿入の指定、及び、合紙を挿入する場合には、給紙元の指定等を含む。
章区切り属性は、章の区切り目において、新たな用紙を使用するか、新たな印刷ページを使用するか、特に何もしないか等の指定を含む。片面印刷時には新たな用紙の使用と新たな印刷ページの使用とは同じ意味を持つ。両面印刷時には、「新たな用紙の使用」を指定すれば連続する章が１枚の用紙に印刷されることは無いが、「新たな印刷ページの使用」を指定すれば、連続する章が１枚の用紙の表裏に印刷されることがあり得る。
【００２１】
図５は、章属性（章設定情報４０７）のリストの一例を示す図である。図６は、ページ属性（ページ設定情報４１１）のリストの一例を示す図である。章属性とページ属性との関係もブック属性と下位層の属性との関係と同様である。
章属性に関しては、章に固有の項目はなく、全てブック属性に包含される。したがって、通常は、章属性における定義とブック属性における定義とが異なれば、章属性で定義された値が優先する。しかし、下位層の属性値を優先するか否かを選択可能にしても良い。
ブック属性と章属性に共通する項目は、用紙サイズ、用紙方向、Ｎ−ｕｐ印刷指定、拡大縮小、ウォーターマーク、ヘッダ・フッタ、排紙方法、インデックス紙の８項目である。このうち、Ｎ−ｕｐ印刷指定属性は、１印刷ページに含まれる原稿ページ数を指定するための項目である。指定可能な配置としては、１×１や１×２、２×２、３×３、４×４等がある。排紙方法属性は、排出した用紙にステイプル処理を施すか否かを指定するための項目であり、この属性の有効性は使用する印刷装置がステイプル機能を有するか否かに依存する。
ページ属性に固有の項目には、ページ回転指定、ウォーターマーク、ヘッダ・フッタ、ズーム、配置位置、アノテーション、Ｖａｒｉａｂｌｅ項目、ページ分割、インデックス紙等がある。ページ回転属性は、原稿ページを印刷ページに配置する際の回転角度を指定するための項目である。ズーム属性は、原稿ページの変倍率を指定するための項目である。変倍率は、仮想論理ページ領域のサイズを１００％として指定される。仮想論理ページ領域とは、原稿ページを、Ｎ−ｕｐ等の指定に応じて配置した場合に、１原稿ページが占める領域である。例えば１×１であれば、仮想論理ページ領域は１印刷ページに相当する領域となり、１×２であれば、１印刷ページの各辺を約７０パーセントに縮小した領域となる。インデックス紙属性は、前述した章区切りの挿入指定だけではなく、ページ単位での挿入の指定（ＯＮ/ＯＦＦの指定）が可能である。
【００２２】
ブック、章、ページについて共通な属性として、ウォーターマーク属性及びヘッダ・フッタ属性がある。ウォーターマークとは、アプリケーションで作成されたデータに重ねて印刷される、別途指定される画像や文字列等である。ヘッダ・フッタは、それぞれ各ページの上余白及び下余白に印刷されるウォーターマークである。但し、ヘッダ・フッタには、ページ番号や日時等、変数により指定可能な項目が用意されている。尚、ウォーターマーク属性及びヘッダ・フッタ属性において指定可能な内容は、章とページとは共通であるが、ブックはそれらと異なっている。ブックにおいてはウォーターマークやヘッダ・フッタの内容を設定できるし、また、ブック全体を通してどのようにウォーターマークやヘッダ・フッタを印刷するかを指定することができる。一方、章やページでは、その章やページにおいて、ブックで設定されたウォーターマークやヘッダ・フッタを印刷するか否かを指定できる。
【００２３】
＜文書処理システムの操作手順例＞
（ブックファイルの生成手順例）
ブックファイルは、上述したような構造及び内容を有している。次に、製本アプリケーション１０４及び電子原稿ライタ１０２によってブックファイルを作成する手順を説明する。ブックファイルの作成は、製本アプリケーション１０４によるブックファイルの編集操作の一環として実現される。
図７は、製本アプリケーション１０４によりブックファイルを開く際の手順を示すフローチャートである。
まず、製本アプリケーション１０４は、開こうとするブックファイルが、新規作成すべきものであるか、それとも既存のものであるか判定する（ステップＳ７０１）。新規作成の場合には、製本アプリケーション１０４は、章を含まないブックファイルを新規に作成する（ステップＳ７０２）。新規に作成されるブックファイルは、図３の例で示せば、文書情報４０１のみ有し、章のノードに対するリンク（章情報リスト４０４）が存在しないブックのノードとなる。ブック属性（文書設定情報４０３）は、新規作成用として予め用意された属性のセットが適用される。そして、製本アプリケーション１０４は、新規ブックファイルを編集するためのユーザインターフェース（ＵＩ）画面を表示する（ステップＳ７０４）。図８は、新規にブックファイルが作成された際のＵＩ画面の一例を示す図である。この場合には、ブックファイルは実質的な内容を持たないために、ＵＩ画面８００には何も表示されない。
一方、既存のブックファイルがあれば、製本アプリケーション１０４は、指定されたブックファイルを開き（ステップＳ７０３）、そのブックファイルの構造、属性、内容に従ってユーザインターフェース（ＵＩ）画面を表示する（ステップＳ７０４）。図９は、既存のブックファイルを開いた際のユーザインターフェース画面の一例を示す図である。ＵＩ画面９００は、ブックの構造を示すツリー部９０１と印刷された状態を表示するプレビュー部９０２とを含む。ツリー部９０１には、ブックに含まれる章、各章に含まれるページが、図３のような木構造が分かるように表示される。ツリー部９０１に表示されるページは原稿ページである。プレビュー部９０２には、印刷ページの内容が縮小されて表示される。その表示順序は、ブックの構造を反映したものとなっている。
【００２４】
さて、開かれたブックファイルには、電子原稿ライタ１０２によって電子原稿ファイルに変換されたアプリケーションデータを、新たな章として追加することができる。この機能を電子原稿インポート機能と呼ぶ。図７の手順によって新規に作成されたブックファイルに電子原稿インポートすることで、そのブックファイルには実体が与えられる。この機能は、図８或いは図９の画面にアプリケーションデータをドラッグアンドドロップ操作することで起動される。
図１０は、電子原稿インポートの手順例を示すフローチャートである。
まず、製本アプリケーション１０４は、指定されたアプリケーションデータを生成したアプリケーションプログラムを起動し、デバイスドライバとして電子原稿ライタ１０２を指定してアプリケーションデータを印刷出力させる。このことで、アプリケーションデータが、電子原稿データに変換される（ステップＳ８０１）。変換を終えたなら、製本アプリケーション１０４は、変換されたデータが画像データであるか否かを判定する（ステップＳ８０２）。製本アプリケーション１０４は、この判定を、ウィンドウズＯＳの下であれば、アプリケーションデータのファイル拡張子に基づいて行うことができる。例えば、製本アプリケーション１０４は、拡張子が「ｂｍｐ」であればウィンドウズビットマップデータであり、「ｊｐｇ」であればＪＰＥＧ圧縮された画像データ、「ｔｉｆｆ」であればｔｉｆｆ形式の画像データであると判定できる。また、製本アプリケーション１０４は、このような画像データの場合はＳ８０１のようにアプリケーションを起動せずに、画像データから直接電子原稿ファイルを生成することが可能であるため、Ｓ８０１の処理を省略することもできる。
【００２５】
画像データでなかった場合には、製本アプリケーション１０４は、ステップＳ８０１で生成された電子原稿ファイルを、現在開かれているブックファイルのブックに、新たな章として追加する（ステップＳ８０３）。通常、章属性としては、ブック属性と共通するものについてはブック属性の値がコピーされ、そうでないものについては、予め用意された規定値に設定されるが、下位層の属性値を優先するか否かを選択できるようにしても良い。
画像データである場合には、製本アプリケーション１０４は、原則として新たな章を追加せず、指定されている章に、ステップＳ８０１で生成された電子原稿ファイルに含まれる各原稿ページを追加する（ステップＳ８０４）。但し、ブックファイルが新規作成されたファイルであれば、新たな章が作成されて、その章に属するページとして電子原稿ファイルの各ページが追加される。通常、ページ属性は、上位層の属性と共通のものについてはその属性値が与えられ、アプリケーションデータにおいて定義された属性を電子原稿ファイルに引き継いでいるものについてはその値が与えられる。例えば、Ｎ−ｕｐ指定等がアプリケーションデータにおいてされていた場合には、その属性値が引き継がれる。このようにして、新規なブックファイルが作成され、或いは、新規な章が追加される。しかし、下位層の属性値を優先するか否かを選択できるようにしても良い。
【００２６】
図１１は、図１０のステップＳ８０１において、電子原稿ライタ１０２により電子原稿ファイルを生成させる手順を示すフローチャートである。
まず、電子原稿ライタ１０２は、新たな電子原稿ファイルを作成してそれを開く（ステップＳ９０１）。電子原稿ライタ１０２は、指定されたアプリケーションデータに対応するアプリケーションを起動し、電子原稿ライタ１０２をデバイスドライバとして、ＯＳの出力モジュールに対して出力コマンドを送信させる。出力モジュールは、受信した出力コマンドを電子原稿ライタによって電子原稿形式のデータに変換し、出力する（ステップＳ９０２）。出力先はステップＳ９０１で開いた電子原稿ファイルである。電子原稿ライタ１０２は、指定されたデータ全てについて変換が終了したか判定し（ステップＳ９０３）、終了していれば電子原稿ファイルを閉じる（ステップＳ９０４）。電子原稿ライタ１０２によって生成される電子原稿ファイルは、図３に示した、原稿ページデータの実体を含むファイルである。
【００２７】
（ブックファイルの編集例）
以上のようにして、アプリケーションデータからブックファイルを作成することができる。生成されたブックファイルについては、製本アプリケーション１０４が表示するユーザインターフェースを用いて、章及びページに対して次のような編集操作が可能である。
（１）新規追加
（２）削除
（３）コピー
（４）切り取り
（５）貼り付け
（６）移動
（７）章名称変更
（８）ページ番号名称振り直し
（９）表紙設定
（１０）合紙設定
（１１）インデックス紙設定
（１２）各原稿ページに対するページレイアウト（レイアウト変更、ブランクページの新規追加等）
このほか、一旦行った編集操作を取り消す操作や、更に取り消した操作をやり直す操作が可能である。これら編集機能により、例えば複数のブックファイルの統合、ブックファイル内で章やページの再配置、ブックファイル内で章やページの削除、原稿ページのレイアウト変更、合紙やインデックス紙の挿入等といった編集操作が可能となる。これらの操作を行うと、図４から図６までに示す属性に操作結果が反映されたり、或いはブックファイルの構造に反映されたりする。例えば、ブランクページの新規追加操作が行われれば、指定された箇所にブランクページが挿入される。このブランクページは原稿ページとして扱われる。また、原稿ページに対するレイアウトを変更すれば、その変更内容は、印刷方法やＮ−ｕｐ印刷、表紙／裏表紙、インデックス紙、合紙、章区切りといった属性に反映される。
【００２８】
＜文書処理システムのインデックス紙属性設定例＞
図１２は、製本アプリケーション１０４の「インデックス紙の設定」ウインドウ１２００の一例を示す図である。
このウインドウでは、文書設定情報４０３におけるインデックス紙（Ｎｏ１２）の属性を表示／設定することができる。このウインドウは、図９のアプリケーション操作画面にあるPrint Formメニューの「Setting for Index Paper」メニュー或いはツールバー上の「Setting for Index Paper」ボタンから起動される。「インデックス紙の設定」ウインドウは、文書に挿入するインデックス紙の属性を設定するためのウインドウである。このウインドウでは、インデックス紙のＯＮ/ＯＦＦ及び用紙サイズ、形態、用紙種類を指定することができる。また、インデックス紙に原稿を印刷するか否か、印字領域をインデックス紙の耳の領域（タブサイズ）まで広げて原稿を配置（面付け）するか否か、インデックス紙の耳に章の名称を印字するか否かを指定することができる。
尚、インデックス紙の属性については、章やページに対しても不図示のユーザインターフェースから表示／設定することができる。
【００２９】
＜ブックファイルの出力例＞
以上のように作成・編集されるブックファイルは印刷出力を最終目的としている。利用者が図９に示す製本アプリケーションのＵＩ画面９００からファイルメニューを選択し、そこから印刷を選択すると、指定した出力デバイスにより印刷出力される。この際、まず製本アプリケーション１０４は、現在開かれているブックファイルを保存し、電子原稿デスプーラ１０５に保存先のファイルパスを渡す。電子原稿デスプーラ１０５は、保存先から取得したブックファイルの属性をＯＳの出力コマンド、例えばウィンドウズのＧＤＩコマンドに変換し、ブックファイルにおける原稿データに対して面付け処理を行う。電子原稿デスプーラ１０５は、それを出力モジュール、例えばＧＤＩに送信する。出力モジュールは、指定されたプリンタドライバ１０６によってデバイスに適したコマンドを生成し、そのデバイスに送信する。
即ち、図示しない出力モジュールのグラフィックエンジンは、印刷装置ごとに用意されたプリンタドライバ１０６を外部メモリ２１１からＲＡＭ２０２にロードし、出力をプリンタドライバ１０６に設定する。そして、出力モジュールは、受け取ったＧＤＩ（Graphic Device Interface）関数からＤＤＩ（Device Driver Interface）関数に変換して、プリンタドライバ１０６へＤＤＩ関数を出力する。プリンタドライバ１０６は、出力モジュールから受け取ったＤＤＩ関数に基づいて、プリンタが認識可能なプリンタ制御コマンド、例えばＰＤＬ（Page Description Language）に変換する。変換されたプリンタ制御コマンドは、ＯＳによってＲＡＭ２０２にロードされたシステムスプーラを経てインタフェース２１経由でプリンタ１０７へ印刷データとして出力される仕組みとなっている。
【００３０】
＜実施形態１における文書処理システムの画像面付け処理フロー＞
図１３は、文書処理システムにおいて電子原稿デスプーラ１０５が原稿データを面付けする処理の手順例を示すフローチャートである。
まず、製本アプリケーション１０４からブックファイルを受け付けた電子原稿デスプーラ１０５は、面付け処理を行うページを原稿データの先頭ページ（Ｎページ＝１）にセットする（ステップＳ１３０１）。電子原稿デスプーラ１０５は、処理対象のページの印字領域（原稿画像を面付けする領域）を基準サイズ（図４の用紙サイズ（Ｎｏ２））に設定する（ステップＳ１３０２）。電子原稿デスプーラ１０５は、ブックファイルの属性から対象のページがインデックス紙であるかを判定する（ステップＳ１３０３）。より具体的には、処理対象のページのページ属性を参照しインデックス紙の指定が有効になっているか否かを判定することでＳ１３０３の処理が実現される。電子原稿デスプーラ１０５は、インデックス紙であると判定した場合はステップＳ１３０４へ処理を移行し、インデックス紙ではないと判定した場合、ステップＳ１３１４へ処理を移行する。インデックス紙である場合、電子原稿デスプーラ１０５は、ブックファイルの属性に印字領域の拡大指示がされているか（図４におけるインデックス紙の有効印字領域に拡大指示がされているか（Ｎｏ１２））を判定する（ステップＳ１３０４）。なお、有効印字領域の拡大指示は、図１２の１２０２のチェックボックスがチェックされることで実現される。電子原稿デスプーラ１０５は、拡大指示がされていると判定した場合、ステップＳ１３０５へ処理を移行し、拡大指示がされていないと判定した場合はステップＳ１３１４へ処理を移行する。電子原稿デスプーラ１０５は、製本アプリケーション１０４から受け取った原稿データのサイズである原稿サイズ（原稿データの処理対象のページの画像データのサイズ）を取得する（ステップＳ１３０５）。
電子原稿デスプーラ１０５は、処理対象のページの原稿サイズがインデックス紙のサイズ（図４（又は図５、図６）のインデックス紙の用紙サイズ）と同じであるかを判定する（ステップＳ１３０６）。処理対象のページの原稿サイズがインデックス紙と同じサイズである場合、電子原稿デスプーラ１０５は、処理対象のページの印字領域をインデックス紙のサイズに拡大する（ステップＳ１３１０）。ステップＳ１３０６において、処理対象のページの原稿サイズがインデックス紙と異なるサイズである場合、電子原稿デスプーラ１０５は、原稿サイズがインデックス紙のサイズより大きいかを判定する（ステップＳ１３０７）。原稿サイズがインデックス紙のサイズより大きい場合、電子原稿デスプーラ１０５は、原稿データの画像をインデックス紙のサイズに圧縮（縮小）し（ステップＳ１３０８）、ステップＳ１３１０へ処理を移行する。ステップＳ１３０７において、原稿サイズがインデックス紙のサイズより小さい場合、電子原稿デスプーラ１０５は、ブックファイルの属性にインデックス紙へ文字列を印刷することが指定されているかを判定する（ステップＳ１３０９）。なお、インデック紙への文字列印字は、図１２の「インデックスタブに章の名前を印刷する」がチェックされることで有効となり、図４におけるインデックス紙の文字列印字を参照することで判定される。電子原稿デスプーラ１０５は、インデックス紙への文字列の印字が指定されている場合はステップＳ１３１０へ処理を移行し、印字設定がされていない場合はステップＳ１３１３へ処理を移行する。
【００３１】
ステップＳ１３１０で印字領域を拡大した後に、電子原稿デスプーラ１０５は、ブックファイルの属性にインデックス紙へ文字列を印字することが指定されているかを判定する（ステップＳ１３１１）。インデックス紙への文字列の印字が指定されている場合は、電子原稿デスプーラ１０５は、印字する文字列を原稿データの適切な位置へ追加する（ステップＳ１３１２）。より具体的には、図１２のテキスト詳細設定ボタンを押すことで表示される画面を介してインデックス部（耳）のどこに文字列を印刷するかを指定できる。この画面にて指定された位置に、例えば対象ページが属する章の名称などの文字列が印刷されるように電子原稿でスプーラは、文字列の位置を決定する。なお、文字列はユーザが指定した任意の文字列でも良い。
ステップＳ１３０９において、インデックス紙へ文字列を印字することが指定されていない場合、電子原稿デスプーラ１０５は、製本アプリケーション１０４へ結果を通知する。製本アプリケーション１０４は、警告メッセージとしてインデックス紙のインデックス部に文字列が印刷されないことを示すメッセージ）を表示する（ステップＳ１３１３）。
ステップＳ１３１４では、電子原稿デスプーラ１０５は、印字領域の中心に対象ページの原稿データの中心を面付けする。このとき、電子原稿デスプーラ１０５は、ブックファイルの属性における他の設定（とじ代/とじ方向やＮ−ｕｐ印刷、拡大縮小等）に応じて面付け処理を実施する。
電子原稿デスプーラ１０５は、ブックファイルの属性にウォーターマーク又はヘッダ・フッタの設定がされているかを判定する（ステップＳ１３１５）。ウォーターマーク又はヘッダ・フッタの設定がされている場合、電子原稿デスプーラ１０５は、基準サイズに合わせて原稿データにウォーターマーク又はヘッダ・フッタを面付けする（ステップＳ１３１６）。これは、インデックス紙のサイズにまで拡大された印字領域を基準にウォーターマーク等を配置すると、インデックス紙とは異なる紙に印刷される他のページとウォーターマークの位置が異なることになるのを防ぐためである。
電子原稿デスプーラ１０５は、処理対象のページをカウントアップし（ステップＳ１３１７）、ページ数が原稿データのページ数に達しているかを判定する（ステップＳ１３１８）。電子原稿デスプーラ１０５は、原稿データのページ数に達していない場合はステップＳ１３０２へ処理を移行し、達している場合は処理を終了する。
【００３２】
＜文書処理システムのインデックス紙への印刷結果例＞
図１４は、電子原稿デスプーラ１０５が図１３のフローチャートに従ってインデックス紙へ原稿データを面付け処理し、プリンタ１０７において印刷処理が実行された結果の一例を示す図である。この例では、インデックス紙のサイズの原稿データ（１４０１）が入稿された場合のインデックス紙へ面付け処理及び印刷処理の結果を示している。インデックス紙のサイズの原稿データ１４０１が入稿された場合、電子原稿デスプーラ１０５は、拡大した有効印字領域１４０２の中心と原稿データ１４０１の中心とを合わせることにより面付けする。その後、プリンタ１０７では、インデックス紙１４０３へ印刷処理が実行される。
以上に示したように、一般アプリケーション１０１が生成したインデックス紙の原稿データの形式に合わせてインデックス紙への面付け方法を設定できるようにし、また、設定に応じて印字領域を変更して面付け処理を行うようにした。このことで、原稿データの形式に応じて柔軟にインデックス紙への印刷を実現できる。即ち、インデックス紙へ印字する原稿データのページにインデックス（耳）部分の画像を含む場合や含まない場合、画像サイズがインデックス紙のサイズと等しい場合や等しくない場合等、様々な形式の原稿データに応じたインデックス紙への印刷を実現できる。
【００３３】
[実施形態２]
実施形態１では、一般アプリケーション１０１が生成した原稿データの形式に合わせて製本アプリケーション１０４へインデックス紙の面付け方法をユーザが設定することで、インデックス紙への面付け処理を行う方法を開示した。
しかし、電子原稿デスプーラ１０５において、一般アプリケーション１０１から入稿された原稿データの形式を判定し、インデックス紙への面付けを自動的に行うようにしても良い。
以下に本実施形態において、電子原稿デスプーラ１０５においてインデックス紙への面付けを自動的に行う場合の実施形態を、主に実施形態１と異なる部分について図面を参照して詳細に説明する。
＜本実施形態におけるブック属性、章属性＞
本実施形態における図４及び図５のブック属性のインデックス紙（Ｎｏ１２、Ｎｏ８）は、有効印字領域の情報を含まず、その他の原稿印刷、文字列印字、用紙サイズ、用紙種類、形態の指定情報を含む。
【００３４】
＜文書処理システムの画像面付け処理フロー＞
図１５は、実施形態２の文書処理システムにおいて電子原稿デスプーラ１０５が原稿データを面付けする処理の手順例を示すフローチャートである。なお、図１５は、図１３のＳ１３０４の指示がない点で図１３とは異なるが、その他の処理は基本的に図１３と同じである。
まず、製本アプリケーション１０４からブックファイルを受け付けた電子原稿デスプーラ１０５は、面付け処理を行うページを原稿の先頭ページ（Ｎページ＝１）にセットする（ステップＳ１５０１）。電子原稿デスプーラ１０５は、処理対象のページの印字領域（原稿画像を面付けする領域）を基準サイズ（図４の用紙サイズ（Ｎｏ２））に設定する（ステップＳ１５０２）。電子原稿デスプーラ１０５は、ブックファイルの属性から対象のページがインデックス紙であるかを判定する（ステップＳ１５０３）。電子原稿デスプーラ１０５は、対象ページがインデックス紙であると判定した場合はステップＳ１５０４へ処理を移行し、インデックス紙ではないと判定した場合、ステップＳ１３１３へ処理を移行する。インデックス紙である場合、電子原稿デスプーラ１０５は、製本アプリケーション１０４から受け取った原稿データの原稿サイズを取得する（ステップＳ１５０４）。電子原稿デスプーラ１０５は、処理対象のページの原稿サイズがインデックス紙のサイズ（図４（又は図５、図６）のインデックス紙の用紙サイズ）と同じであるかを判定する（ステップＳ１５０５）。インデックス紙と同じサイズである場合、電子原稿デスプーラ１０５は、処理対象のページの印字領域をインデックス紙のサイズに拡大する（ステップＳ１５０９）。ステップＳ１５０５において、インデックス紙と異なるサイズである場合、電子原稿デスプーラ１０５は、原稿サイズがインデックス紙のサイズより大きいかを判定する（ステップＳ１５０６）。原稿サイズがインデックス紙のサイズより大きい場合、電子原稿デスプーラ１０５は原稿データの画像をインデックス紙のサイズに圧縮（縮小）し（ステップＳ１５０７）、ステップＳ１５０９へ処理を移行する。ステップＳ１５０６において、原稿サイズがインデックス紙のサイズより小さい場合、電子原稿デスプーラ１０５は、ブックファイルの属性にインデックス紙へ文字列を印字することが指定されているかを判定する（ステップＳ１５０８）。電子原稿デスプーラ１０５は、インデックス紙へ文字列を印刷することが指定されている場合はステップＳ１５０９へ処理を移行し、印刷することが指定されていない場合はステップＳ１５１２へ処理を移行する。
Ｓ１５０５の処理、又はＳ１５０５〜Ｓ１５０８の処理は、原稿データのサイズに基づいて印字領域をタブの領域まで広げるか否かの判断の処理の一例である。
【００３５】
ステップＳ１５０９で印字領域を拡大した後に、電子原稿デスプーラ１０５は、ブックファイルの属性にインデックス紙へ文字列を印刷することが指定されているかを判定する（ステップＳ１５１０）。印字することが指定されている場合は、電子原稿デスプーラ１０５は、印字する文字列を原稿データの適切な位置へ追加する（ステップＳ１５１１）。
ステップＳ１５１３では、電子原稿デスプーラ１０５は、印字領域の中心に対象ページの原稿データの中心を面付けする。このとき、電子原稿デスプーラ１０５は、ブックファイルの属性における他の設定（とじ代/とじ方向やＮ−ｕｐ印刷、拡大縮小等）に応じて面付け処理を実施する。
電子原稿デスプーラ１０５は、ブックファイルの属性にウォーターマーク又はヘッダ・フッタの設定がされているかを判定する（ステップＳ１５１３）。ウォーターマーク又はヘッダ・フッタの設定がされている場合、電子原稿デスプーラ１０５は、基準サイズに合わせて原稿データにウォーターマーク又はヘッダ・フッタを面付けする（ステップＳ１５１４）。
電子原稿デスプーラ１０５は、処理対象のページをカウントアップし（ステップＳ１５１５）、ページ数が原稿データのページ数に達しているかを判定する（ステップＳ１５１６）。電子原稿デスプーラ１０５は、原稿データのページ数に達していない場合はステップＳ１５０２へ処理を移行し、達している場合は処理を終了する。
【００３６】
以上に示したように、一般アプリケーション１０１が生成したインデックス紙の原稿データの形式に合わせて自動的に印字領域を変更して面付け処理を行うようにしたことで、原稿データの形式に応じたインデックス紙への正しい印刷結果を得ることができる。即ち、実施形態１と同じ効果をユーザの負荷を大きくすることなく得ることができる。
【００３７】
［その他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００３８】
以上、上述した各実施形態によれば、様々な形式の原稿データに対しても利用者が望むとおりのインデックス紙への印字結果を得ることができる。
【００３９】
以上、本発明の好ましい実施形態について詳述したが、本発明は係る特定の実施形態に限定されるものではなく、特許請求の範囲に記載された本発明の要旨の範囲内において、種々の変形・変更が可能である。
【図１】
0005748551.tif 000002
【図２】
0005748551.tif 000003
【図３】
0005748551.tif 000004
【図４】
0005748551.tif 000005
【図５】
0005748551.tif 000006
【図６】
0005748551.tif 000007
【図７】
0005748551.tif 000008
【図８】
0005748551.tif 000009
【図９】
0005748551.tif 000010
【図１０】
0005748551.tif 000011
【図１１】
0005748551.tif 000012
【図１２】
0005748551.tif 000013
【図１３】
0005748551.tif 000014
【図１４】
0005748551.tif 000015
【図１５】
0005748551.tif 000016
【図１６】
0005748551.tif 000017